(57)【要約】【課題】  大小二種類のアタッチメントサイズの撮影レンズに共用可能なレンズフードを提供すること。【解決手段】  撮影レンズ５、９の被写体側に装着して当該撮影レンズに入射する不要な光を遮光するレンズフードにおいて、前記レンズフードの一方の端部３ａに設けられた第１装着手段７と、他方の端部３ｂに設けられた第２装着手段１１とを有し、前記第１装着手段７は被写体側の直径が小さい第１の撮影レンズ５に装着され、前記第２装着手段１１は前記第１の撮影レンズ５に比べ被写体側の直径が大きい第２の撮影レンズ９に装着されることを特徴とするレンズフード１。【選択図】  図１
2006243289.tif 000002
【特許請求の範囲】
【請求項１】
撮影レンズの被写体側に装着して当該撮影レンズに入射する不要な光を遮光するレンズフードにおいて、
前記レンズフードの一方の端部に設けられた第１装着手段と、他方の端部に設けられた第２装着手段とを有し、
前記第１装着手段は被写体側のアタッチメントサイズ径が小さい第１の撮影レンズに装着され、
前記第２装着手段は前記第１の撮影レンズに比べ被写体側のアタッチメントサイズ径が大きい第２の撮影レンズに装着されることを特徴とするレンズフード。
【請求項２】
前記第１装着手段および第２装着手段は、前記撮影レンズのフィルタねじに螺合するねじ部からなることを特徴とする請求項１に記載のレンズフード。
【請求項３】
前記第１の撮影レンズは、２４ｍｍ×３６ｍｍよりも小さい撮影領域に対応した交換レンズであることを特徴とする請求項１または２に記載のレンズフード。
【発明の詳細な説明】
【技術分野】
【０００１】
本発明は、カメラの撮影レンズの先端に装着して撮影レンズに入射する不要な光を遮光するレンズフードに関する。
【背景技術】
【０００２】
従来、日差しの強い晴天の日などに、カメラの撮影レンズの先端に装着し撮影レンズに不要な光が入射しないようにする為の丸形や花形などの形状を有するレンズフードが提案されている（例えば、特許文献１参照）。
【特許文献１】特開２００４−５４０４４号公報
【発明の開示】
【発明が解決しようとする課題】
【０００３】
しかし、従来のレンズフードは装着する撮影レンズの先端の直径に合わせて一端部が形成され、レンズフードとこれを装着する撮影レンズとが一組のものとして準備されている。このため、一つのレンズフードを装着サイズ（以後、アタッチメントサイズと記す）が異なる撮影レンズに共用することができないと言う問題がある。
【０００４】
本発明は、上記問題に鑑みて行われたものであり、大小二種類のアタッチメントサイズの撮影レンズに共用可能なレンズフードを提供することを目的とする。
【課題を解決するための手段】
【０００５】
上記目的を達成するために、本発明は、撮影レンズの被写体側に装着して当該撮影レンズに入射する不要な光を遮光するレンズフードにおいて、前記レンズフードの一方の端部に設けられた第１装着手段と、他方の端部に設けられた第２装着手段とを有し、前記第１装着手段は被写体側のアタッチメントサイズ径が小さい第１の撮影レンズに装着され、前記第２装着手段は前記第１の撮影レンズに比べ被写体側のアタッチメントサイズ径が大きい第２の撮影レンズに装着されることを特徴とするレンズフードを提供する。
【０００６】
また、本発明のレンズフードでは、前記第１装着手段および第２装着手段は、前記撮影レンズのフィルタねじに螺合するねじ部からなることが好ましい。
【０００７】
また、本発明のレンズフードでは、前記第１の撮影レンズは、２４ｍｍ×３６ｍｍよりも小さい撮影領域に対応した交換レンズであることが好ましい。
【発明の効果】
【０００８】
本発明によれば、大小二種類のアタッチメントサイズの撮影レンズに共用可能なレンズフードを提供することができる。
【発明を実施するための最良の形態】
【０００９】
以下、本発明の一実施の形態に関し図面を参照しつつ説明する。
【００１０】
図１は  本発明に係るレンズフードを異なるアタッチメントサイズ径の撮影レンズの先端に装着した状態を示し、（ａ）はアタッチメントサイズ径の小さい第１の撮影レンズに装着した状態を、（ｂ）はアタッチメントサイズ径の大きな第２の撮影レンズに装着した状態をそれぞれ示す。
【００１１】
図１（ａ）、（ｂ）において、レンズフード１は断面が略Ｌ字状の円筒形部材３から構成され、円筒形部材３の開口径が小さい側の外周端部３ａにはアタッチメントサイズ径の小さい第１の撮影レンズ５のフィルタねじ５ａに螺合するねじ部７が形成され、円筒形部材３の開口径が大きい側の外周端部３ｂにはアタッチメントサイズ径の大きい第２の撮影レンズ９のフィルタねじ９ａに螺合するねじ部１１が形成され、円筒形部材３の内周面３ｃには、光反射防止処理が施されている。このようにして、本発明に係るレンズフード１が構成されている。
【００１２】
次に、本発明に係るレンズフード１の使い方に関して説明する。
【００１３】
図１（ａ）において、第１の撮影レンズ５はＡＰＳサイズの撮影領域を有するカメラに使用される撮影レンズであり、その撮影領域は１６．７ｍｍ×３０．２ｍｍに設計されたものである。第１の撮影レンズ５は、マウント５ｂを介して不図示のＡＰＳサイズのカメラ本体に装着される。
【００１４】
レンズフード１は、ねじ部７を第１の撮影レンズ５のフィルタねじ５ａに螺合して第１の撮影レンズ５に固定され、レンズフード３の外周端部３ｂの開口径とレンズフード１の全長Ｌにより第１の撮影レンズ５の画角Ａが確保されている。このため外周端部３ｂの開口によって制限された画角Ａを超える方向からの光は、レンズフード１によって遮光され第１の撮影レンズ５内に入射することが防止される。
【００１５】
図１（ｂ）において、第２の撮影レンズ９は３５ｍｍフィルム用の撮影レンズであり、撮影領域が２４ｍｍ×３６ｍｍとＡＰＳサイズに比べ大きく設計されている。第２の撮影レンズ９は３５ｍｍフィルム用のレンズであるため、撮影レンズ９の先端の直径が第１の撮影レンズ５より大きく形成されている。レンズフード１の外周端部３ｂに形成されているねじ部１１を第２の撮影レンズ９のフィルタねじ９ａに螺合して、フィルタ１が第２の撮影レンズ９に固定される。
【００１６】
第２の撮影レンズ９のマウント部９ｂを介してＡＰＳサイズの撮像領域を有するカメラ（不図示）に装着して用いる場合、撮影領域は１６．７ｍｍ×３０．２ｍｍあれば良いので、これ以上の領域に相当する方向からの光は不要でありカットする必要がある。
【００１７】
本発明に係るレンズフード１では、第１の撮影レンズ５に装着される側（３ａ側）の開口径は第２の撮影レンズ９に装着される側（３ｂ側）に比べて直径が小さく形成されているため、３５ｍｍフィルム用の第２の撮影レンズ９をＡＰＳサイズのカメラに装着した際、レンズフード１の端部３ａの開口径とレンズフード１の全長Ｌで撮影領域１６．７ｍｍ×３０．２ｍｍに必要な画角Ｂを超える方向からの光が遮光され、不要な光によるゴースト光の発生を防止することができる。
【００１８】
このように、本発明に係るレンズフード１は、撮影領域が小さなカメラ（例えば、ＡＰＳサイズカメラ）に用いる第１の撮影レンズ５と、３５ｍｍフィルム用の第２の撮影レンズ９とに共用することができる。また、組み合わせて用いられる第１の撮影レンズ５または第２の撮影レンズ９の画角ＡまたはＢに応じて、レンズフード１の端部３ａまたは３ｂの開口径と、レンズフード２の円筒形状の長さＬを所定の寸法に設計することで、第１の撮影レンズ５または第２の撮影レンズ９に装着した際に、カメラの撮影領域に必要な画角ＡまたはＢを超える方向からの光の入射を防止することができる。
【００１９】
なお、上記の説明では、第１の撮影レンズ５をＡＰＳカメラ用の交換レンズとして説明したが、ＣＣＤを用いたデジタルカメラ用の交換レンズで有っても同様の効果を奏する。また、レンズフードを装着する際の装着手段は、フィルタねじに螺合するねじ部を有する構成以外にも、凸凹溝を係合する構成、バイヨネットマウント構成などを用いることができる。また、レンズフードの形状は、上述の円筒形状のみならず円錐形状なども可能である。
【００２０】
なお、上述の実施の形態は例に過ぎず、上述の構成や形状に限定されるものではなく、本発明の範囲内において適宜修正、変更が可能である。
【図面の簡単な説明】
【００２１】
【図１】本発明に係るレンズフードを異なるアタッチメントサイズ径の撮影レンズの先端に装着した状態を示し、（ａ）はアタッチメントサイズ径が小さい第１の撮影レンズに装着した状態を、（ｂ）はアタッチメントサイズ径が大きな第２の撮影レンズに装着した状態をそれぞれ示す。
【符号の説明】
【００２２】
１    レンズフード
３    円筒状部材
５    第１の撮影レンズ
７、１１  ねじ部
９    第２の撮影レンズ
【図１】
2006243289.tif 000003